(57)【要約】【課題】ＳＮＳ内での友達関係を現実社会の縁になぞらえてユーザが何ら操作することなく消滅させることができ、ユーザに友達の管理に関する作業負担をなくしてストレスを軽減させることができるＳＮＳの友達管理システム及びこれを用いた友達管理方法を提供する。【解決手段】ＳＮＳの友達管理システムは、各ユーザが自己の近況を表示するための個人ページと、他のユーザとメッセージのやり取りをするメッセージページとを備えたＳＮＳに用いられ、友達ユーザとの間でお互いの個人ページを閲覧したことの有無を確認する閲覧情報取得部と、お互いにメッセージページにて発言していることの有無を確認するメッセージ情報取得部と、予め設定された設定期間の情報が格納された期間管理部と、これらの情報に基づいて友達ユーザの情報を友達カテゴリから他人カテゴリに移動させる友達管理部とを備えている。【選択図】        図４
2015207136.tif 000002
【特許請求の範囲】
【請求項１】
各ユーザが自己の近況を表示するための個人ページと、
他のユーザとメッセージのやり取りをするために前記他のユーザごとに設けられたメッセージページと、
前記他のユーザが友達ユーザ又は他人ユーザに区分けされ、前記友達ユーザの個人ページへのリンク及び前記メッセージページへのリンクが表示されたメインページとを備えたＳＮＳに用いられ、
前記個人ページに表示するために各ユーザがデータをアップロードする個人ページサーバと、
各ユーザごとに前記友達ユーザ及び前記他人ユーザの情報をそれぞれ友達カテゴリ及び他人カテゴリに区分けして格納するユーザ情報サーバと、
前記友達ユーザが前記友達ユーザの個人ページを更新した際に、該更新情報を前記メインページに非表示とする更新管理部と、
前記友達ユーザとの間でお互いの個人ページを閲覧したことの有無を確認する閲覧情報取得部と、
前記友達ユーザとの間でお互いに前記メッセージページにて発言していることの有無を確認するメッセージ情報取得部と、
前記友達ユーザとして互いの前記友達カテゴリに情報が格納されたとき、又は前記友達ユーザ同士で互いの個人ページの閲覧があったとき、又は前記メッセージページで互いの発言があったときに開始するとして予め設定された設定期間の情報が格納された期間管理部と、
前記閲覧情報取得部、前記メッセージ情報取得部、前記期間管理部の情報に基づいて前記友達ユーザの情報を前記友達カテゴリから前記他人カテゴリに移動させる友達管理部とを備えたことを特徴とするＳＮＳの友達管理システム。
【請求項２】
前記友達管理部は、前記閲覧情報取得部で前記友達ユーザ同士が互いの個人ページを閲覧していないと判断した場合、又は前記メッセージ情報取得部で前記友達ユーザ同士が互いに発言していないと判断した場合であって、互いの行為に至っていない期間が前記期間管理部に格納された前記設定期間を超えていた場合に、それぞれのユーザの前記ユーザ情報サーバにて相手の友達ユーザの情報を前記友達カテゴリから前記他人カテゴリに移動させることを特徴とする請求項１に記載のＳＮＳの友達管理システム。
【請求項３】
前記友達管理部は、前記閲覧情報取得部で前記友達ユーザ同士が互いの個人ページを閲覧していると判断した場合、又は前記メッセージ情報取得部で前記友達ユーザ同士が互いに発言していると判断した場合であって、互いの行為に至るまでの期間が前記期間管理部に格納された前記設定期間を超えていた場合に、それぞれのユーザの前記ユーザ情報サーバにて相手の友達ユーザの情報を前記友達カテゴリから前記他人カテゴリに移動させることを特徴とする請求項１又は２に記載のＳＮＳの友達管理システム。
【請求項４】
前記設定期間内に前記個人ページを自動的に更新する更新操作部とをさらに備えたことを特徴とする請求項1〜３のいずれかに記載のＳＮＳの友達管理システム。
【請求項５】
前記友達ユーザ同士が互いの個人ページの閲覧の有無、又は前記友達ユーザ同士が互いに前記メッセージページにて発言していることの有無を確認し、お互いのやりとりが双方向に存在しているかを確認する双方向確認工程と、
前記双方向のやりとりが前記設定期間内に行われているか否かを確認する双方向期間確認工程と、
前記双方向のやりとりがない場合には前記設定期間が経過しているか否かを確認する非双方向期間確認工程とを備えたことを特徴とする請求項1〜４のいずれかに記載のＳＮＳの友達管理システムを用いた友達管理方法。
【発明の詳細な説明】
【技術分野】
【０００１】
本発明は、ＳＮＳでユーザと関連づけられた他のユーザ、いわゆる「友達」を管理するＳＮＳの友達管理システム及びこれを用いた友達管理方法に関するものである。
【背景技術】
【０００２】
現実の社会において、人と人との関係は「縁」によって定まっていると言える。すなわち人と人とは縁があれば出会い、縁がなければ出会わない。また、縁が続けば関係は続き、縁が切れれば関係はなくなる。このように人は出会いと別れを繰り返していくものであり、これが自然の摂理となっている。この「縁」はお互いの意思で決定されることが多く、関係を続けていこうという意思がお互いにあれば関係は続き、お互い若しくはいずれか一方に意思がなくなれば関係はなくなるものである。
【０００３】
ＩＴ技術の進歩によってサーバには膨大なデータを保存し、蓄積することができるようになっている。また、ＳＮＳが一般的に広まっていることにより、そのユーザ数の拡大は今もなお続いている。そのような中でＳＮＳには、ユーザが他の知り合いのユーザとやり取り等をしやすいように友達機能が附帯されている。このように友達機能があることで、ユーザは自己の知り合いの近況を知ったり、メッセージをやり取りすることができる。
【０００４】
しかしながら、上述したようにサーバが膨大なデータを蓄積できることから、ＳＮＳ内でユーザが友達の数を制限されることは基本的にはない。したがってＳＮＳ内で友達としてのユーザは増加し続けていくことが多い。このことは関係を終わらせたいユーザや、興味がないユーザも友達として自己と関連づけられ続けることを招く。このような間柄のユーザとＳＮＳ内でやり取りを続けることは、いわゆるＳＮＳ疲れというストレスの原因となっている。
【０００５】
ＳＮＳ内での友達としての関係を終わらせるために友達を削除する機能がＳＮＳには備わっていることが多いが、ユーザはこの友達削除という行為を自ら行う必要がある。このように改まった意思にて友達ユーザから削除することは、削除しようとするユーザとの関係（例えば現実社会での関係等）を考慮するとなかなか行うことができない状況となっている。すなわち、友達削除をしたいのに削除ができないというストレスが生じることになる。
【０００６】
友達の関係というものは、上述した本来の「縁」で考えれば自然と終わっていくものもある。そうであるのにＳＮＳではこれが友達としての他のユーザ情報として長く保存されてしまう。このことは「縁」に反することになり、ストレスとしてユーザに影響を与えていると考えられる。
【０００７】
ＳＮＳ内では様々なユーザを友達として迎え、その友達がどのような近況をアップしているかを見ることから始まり、個別にメッセージを送ったりしてその関係が構築されていくものである。本来の「縁」から考えれば、近況も見なかったりメッセージをやり取りしない他のユーザは友達ではないはずである。しかしながら現在のＳＮＳシステムは友達を増加させるために種々の工夫がなされているのみであり（例えば特許文献１参照）、友達が自然と削除されていくようにしてストレスを緩和させるような工夫はなされていない。
【先行技術文献】
【特許文献】
【０００８】
【特許文献１】特開２０１４−４４７２１号公報
【発明の概要】
【発明が解決しようとする課題】
【０００９】
本発明は、上記従来技術を考慮したものであり、ＳＮＳ内での友達関係を現実社会の縁になぞらえてユーザが何ら操作することなく消滅させることができ、友達として登録されている他のユーザを整理することができ、併せてユーザに友達の管理に関する作業負担をなくしてストレスを軽減させることができるＳＮＳの友達管理システム及びこれを用いた友達管理方法を提供することを目的とする。
【課題を解決するための手段】
【００１０】
前記目的を達成するため、本発明では、各ユーザが自己の近況を表示するための個人ページと、他のユーザとメッセージのやり取りをするために前記他のユーザごとに設けられたメッセージページと、前記他のユーザが友達ユーザ又は他人ユーザに区分けされ、前記友達ユーザの個人ページへのリンク及び前記メッセージページへのリンクが表示されたメインページとを備えたＳＮＳに用いられ、前記個人ページに表示するために各ユーザがデータをアップロードする個人ページサーバと、各ユーザごとに前記友達ユーザ及び前記他人ユーザの情報をそれぞれ友達カテゴリ及び他人カテゴリに区分けして格納するユーザ情報サーバと、前記友達ユーザが前記友達ユーザの個人ページを更新した際に、該更新情報を前記メインページに非表示とする更新管理部と、前記友達ユーザとの間でお互いの個人ページを閲覧したことの有無を確認する閲覧情報取得部と、前記友達ユーザとの間でお互いに前記メッセージページにて発言していることの有無を確認するメッセージ情報取得部と、前記友達ユーザとして互いの前記友達カテゴリに情報が格納されたとき、又は前記友達ユーザ同士で互いの個人ページの閲覧があったとき、又は前記メッセージページで互いの発言があったときに開始するとして予め設定された設定期間の情報が格納された期間管理部と、前記閲覧情報取得部、前記メッセージ情報取得部、前記期間管理部の情報に基づいて前記友達ユーザの情報を前記友達カテゴリから前記他人カテゴリに移動させる友達管理部とを備えたことを特徴とするＳＮＳの友達管理システムを提供する。
【００１１】
好ましくは、前記友達管理部は、前記閲覧情報取得部で前記友達ユーザ同士が互いの個人ページを閲覧していないと判断した場合、又は前記メッセージ情報取得部で前記友達ユーザ同士が互いに発言していないと判断した場合であって、互いの行為に至っていない期間が前記期間管理部に格納された前記設定期間を超えていた場合に、それぞれのユーザの前記ユーザ情報サーバにて相手の友達ユーザの情報を前記友達カテゴリから前記他人カテゴリに移動させる。
【００１２】
好ましくは、前記友達管理部は、前記閲覧情報取得部で前記友達ユーザ同士が互いの個人ページを閲覧していると判断した場合、又は前記メッセージ情報取得部で前記友達ユーザ同士が互いに発言していると判断した場合であって、互いの行為に至るまでの期間が前記期間管理部に格納された前記設定期間を超えていた場合に、それぞれのユーザの前記ユーザ情報サーバにて相手の友達ユーザの情報を前記友達カテゴリから前記他人カテゴリに移動させる。
【００１３】
好ましくは、ＳＮＳの友達管理システムは、前記設定期間内に前記個人ページを自動的に更新する更新操作部とをさらに備えている。
【００１４】
また本発明では、前記友達ユーザ同士が互いの個人ページの閲覧の有無、又は前記友達ユーザ同士が互いに前記メッセージページにて発言していることの有無を確認し、お互いのやりとりが双方向に存在しているかを確認する双方向確認工程と、前記双方向のやりとりが前記設定期間内に行われているか否かを確認する双方向期間確認工程と、前記双方向のやりとりがない場合には前記設定期間が経過しているか否かを確認する非双方向期間確認工程とを備えたことを特徴とするＳＮＳの友達管理システムを用いた友達管理方法を提供する。
【発明の効果】
【００１５】
本発明によれば、友達管理部にて友達ユーザ同士が互いの個人ページを設定期間内に閲覧していないと判断した場合に友達ユーザは他人ユーザとなる。すなわちＳＮＳ内での友達関係が消滅する。また、メッセージページにて友達ユーザ同士が互いに発言していないと判断した場合も同様となる。さらに、これらの閲覧、発言行為が友達ユーザ同士で双方向に行われていたとしてもその行為が設定期間内に行われなかった場合も同様となる。これらの場合にはその友達ユーザ同士には縁がなかったと判断することができるので、自動的に他人ユーザ同士となる。これにより、ＳＮＳ内での友達関係を現実社会の縁になぞらえてユーザが何ら操作することなく消滅させることができ、友達として登録されている他のユーザを整理することができ、併せてユーザに友達の管理に関する作業負担をなくしてストレスを軽減させることができる。
【００１６】
また、更新操作部を備えることで、関係を続けたいと思っていたり気になっていたりする友達ユーザの個人ページの閲覧を喚起させることができるので、縁があれば双方向のやりとりが行われることになり、縁に基づいた友達関係を続けていくことができる。
【図面の簡単な説明】
【００１７】
【図１】本発明に係るＳＮＳの友達管理システムが適用されるＳＮＳのメインページの一例を示す概略図である。
【図２】本発明に係るＳＮＳの友達管理システムが適用されるＳＮＳの個人ページの一例を示す概略図である。
【図３】本発明に係るＳＮＳの友達管理システムが適用されるＳＮＳのメッセージページの一例を示す概略図である。
【図４】本発明に係るＳＮＳの友達管理システムの概略図である。
【図５】本発明に係るＳＮＳの友達管理システムを用いた友達管理方法を示すフローチャートである。
【図６】メインページの別の例を示す概略図である。
【図７】プロフィールページの一例を示す概略図である。
【発明を実施するための形態】
【００１８】
図１に示すように、本発明が適用されるＳＮＳのメインページ１にはＳＮＳ上で友達ユーザとして登録された他のユーザ情報を表示する表示領域２が配されている。この表示領域２には友達ユーザのプロフィール画像３が表示されている。このプロフィール画像３は写真や画像、あるいはいわゆるアバター等をユーザごとに自由に設定することができる。さらに表示領域２には個人ページ４（図２参照）へのリンク５とメッセージページ６（図３参照）へのリンク７が表示されている。
【００１９】
図２に示すように、個人ページ４にはその友達ユーザのプロフィール画像３が表示され、例えばその横にユーザ名８が表示される。このユーザ名は表示領域２のプロフィール画像３の近傍に表示してもよい。個人ページ４はユーザごとに与えられるページであり、自己の近況をアップロードして記載するためのものである。例えば日付欄９や近況記載欄１０が配され、日付ごとに一つのブロックとして順次更新されていく。近況記載欄１０にはテキストや写真、あるいは動画を載せることができる。この個人ページ１０はそのユーザの近況を表示するものであるため、そのユーザを気にかけているユーザはかなりの頻度でリンク５から閲覧することになる。
【００２０】
ここで重要なのは、表示領域２では、リンク５にその友達ユーザの個人ページ４が更新されたことを示す更新情報が非表示であることである。すなわち、個人ページ４が更新されたことは実際にリンク５から個人ページ４に移動して初めて分かることになる。メインページ１には個人ページ４にアップロードされたテキスト等の情報がそのまま表示されることはなく、リンク５のみが表示されているので、必ずリンク５を介してでなければ個人ページ４を閲覧することができない。これにより、本当に近況を知りたい友達ユーザのみの個人ページ４を各ユーザは閲覧することになる。
【００２１】
一方で、他のユーザは友達ユーザ又は他人ユーザに区分けされていて、表示領域２に表示されるのは友達ユーザのみである。したがって、他人ユーザの関係の場合はそのユーザの個人ページ４の閲覧やメッセージページ６によるやり取りができない。
【００２２】
図３に示すように、メッセージページ６は友達ユーザ同士がメッセージのやり取りをするために友達ユーザごとにそれぞれ設けられたページである。ここでは例えばプロフィール画像３の横に吹き出し１１が表示され、この吹き出し１１内にテキストメッセージが表示される。わかりやすくするためにプロフィール画像３にユーザ名８を付記してもよい。メッセージページ６上で例えば友達ユーザのプロフィール画像３を左端、自己を右端に配することで、ユーザ同士の会話の臨場感を現すことができる。
【００２３】
本発明は、上記のようなＳＮＳに用いられる。前提として、友達ユーザの個人ページ４の更新は、リンク５を介してでなければ確認できないような仕様のＳＮＳに用いられる。図４を参照すれば明らかなように、本発明に係るＳＮＳの友達管理システム１２は、ネットワーク通信網１３を介して通信可能に接続された端末１４及びアプリケーションサーバ１５にて形成されている。アプリケーションサーバ１５には、個人ページサーバ１６が配されている。個人ページサーバ１６は、各ユーザがそれぞれの個人ページ４に自己の近況を表示するためにデータをアップロードする領域である。したがって、個人ページサーバ１６にテキストや写真等をアップロードすることでそのユーザの個人ページ４は順次更新されていく。またアプリケーションサーバ１５には、ユーザ情報サーバ１７が配されている。このユーザ情報サーバ１７には各ユーザごとの友達ユーザ及び他人ユーザの情報が格納されている。友達ユーザの情報はユーザ情報サーバ１７内の友達カテゴリ１８に、他人ユーザの情報はユーザ情報サーバ１７内の他人カテゴリ１９にそれぞれ格納される。
【００２４】
また、アプリケーションサーバ１５には、更新管理部２０が配されている。この更新管理部２０は、友達ユーザが個人ページ４を更新した際に、この更新情報をメインページ１に非表示とするものである。すなわち、上述したように、友達ユーザが個人ページサーバ１６にアップロードした近況の情報は、メインページ１のリンク５に目印等も表示されず、あくまでリンク５を介してその個人ページ４に移動することで確認できる。したがって、お互いに近況を知りたければそれぞれのメインページ１にて互いのリンク５を操作して互いの個人ページ４に移動して閲覧する必要がある。アプリケーションサーバ１５にはこのような互いの個人ページ４を閲覧したことの有無、すなわち双方向に閲覧があったことを確認するための閲覧情報取得部２１も配されている。
【００２５】
さらにアプリケーションサーバ１５には、メッセージ情報取得部２２が配されている。このメッセージ情報取得部２２は、友達ユーザとの間でお互いにメッセージページ６にて発言していることの有無を確認するものである。すなわち双方向に発言があったことを確認するためのものである。
【００２６】
さらにアプリケーションサーバ１５には、期間管理部２３が配されている。この期間管理部２３には、予め設定された設定期間の情報が格納される。設定期間は、アプリケーションサーバ１５を管理する側が自由に定めることができる。設定期間は、友達ユーザとして互いの友達カテゴリ１８に情報が格納されたとき（友達ユーザとして登録されたとき）、又は友達ユーザ同士で互いの個人ページ４の閲覧があったとき、又はメッセージページ６で互いの発言があったときに開始する。すなわち、設定期間は最初として友達関係になったときからはじまり、双方向の閲覧または発言があったときにリセットされて再び最初から設定期間が開始する。
【００２７】
アプリケーションサーバ１５には友達管理部２４が配されている。この友達管理部２４は、閲覧情報取得部２１、メッセージ情報取得部２２、期間管理部２３の情報に基づいて友達ユーザの情報を友達カテゴリから他人カテゴリに移動させるものである。すなわち友達管理部２４は、友達ユーザを他人ユーザとし、ＳＮＳ上での友達関係を各ユーザの操作を必要とせずに自動的に消滅させるものである。
【００２８】
以下に本発明に係る友達管理方法を説明する。図５に示すように、まずは友達ユーザ同士が互いの個人ページ４の閲覧の有無、又は友達ユーザ同士が互いにメッセージページ６にて発言していることの有無を確認し、お互いのやりとりが双方向に存在しているかを確認する双方向確認工程を行う（ステップＳ１）。互いの個人ページ４の閲覧が双方向にあった場合、又は互いにメッセージページ６での発言が双方向にあった場合には、その双方向のやり取りが設定期間内に行われているか否かを確認する双方向期間確認工程を行う（ステップＳ２）。設定期間内に行われていた場合にはＳＮＳ上での友達関係は維持される（ステップＳ３）。なお設定期間は双方向のやり取りがあったときにリセットされて再び次の双方向やり取りがあるまでの設定期間となる。
【００２９】
一方で、双方向確認工程にてお互いのやりとりが双方向に存在していない場合、すなわち閲覧情報取得部２１で友達ユーザ同士が互いの個人ページを閲覧していないと判断した場合、又はメッセージ情報取得部２２で友達ユーザ同士が互いに発言していないと判断した場合には、非双方向期間確認工程を行う。この非双方向期間確認工程は、互いのユーザ同士で双方向のやりとりがない状態が設定期間の間続いているか否かを判断する（ステップＳ４）。設定期間が経過していない場合は経過するまで双方向確認工程を行う。設定期間が経過した場合は、それぞれのユーザのユーザ情報サーバ１７にて相手の友達ユーザの情報を友達カテゴリ１８から他人カテゴリ１９に移動させる（ステップＳ５）。これにより、当該ユーザ同士の友達関係は消滅し、互いのメインページ１にて互いのユーザの表示領域２は非表示となる。
【００３０】
さらに一方で、双方向確認工程にて双方向のやりとりが確認された場合、すなわち閲覧情報取得部２１で友達ユーザ同士が互いの個人ページ４を閲覧していると判断した場合、又はメッセージ情報取得部２２で友達ユーザ同士が互いに発言していると判断した場合でも、その双方向のやりとりの行為に至るまでの期間が期間管理部２３に格納された設定期間を超えていた場合には、やはりそれぞれのユーザのユーザ情報サーバ１７にて相手の友達ユーザの情報を友達カテゴリ１８から他人カテゴリ１９に移動させる（ステップＳ５）。すなわち友達関係を終了させる。
【００３１】
上記のようなフローチャートに基づく本発明の友達管理方法では、友達管理部２４にて友達ユーザ同士が互いの個人ページ４を設定期間内に閲覧していないと判断した場合に友達ユーザは他人ユーザとなる。すなわちＳＮＳ内での友達関係が消滅する。また、メッセージページ６にて友達ユーザ同士が互いに発言していないと判断した場合も同様となる。さらに、これらの閲覧、発言行為が友達ユーザ同士で双方向に行われていたとしてもその行為が設定期間内に行われなかった場合も同様となる。これらの場合にはその友達ユーザ同士には「縁」がなかったと判断することができるので、自動的に他人ユーザ同士となる。これにより、ＳＮＳ内での友達関係を現実社会の縁になぞらえてユーザが何ら操作することなく消滅させることができ、友達として登録されている他のユーザを整理することができ、併せてユーザに友達の管理に関する作業負担をなくしてストレスを軽減させることができる。
【００３２】
次に、本発明を用いればＳＮＳ上でも現実社会での「縁」によるユーザ同士の別れを実現できることを説明する。人間関係というのはおよそ以下のパターンに大別される。
（１）よく連絡を取り合う親しい間柄
（２）たまに連絡を取り合ったり、ほとんど取り合わないが固い絆で結ばれている間柄（例えば地元の幼なじみ）
（３）上司や部下、仕事上の付き合い程度の社交辞令的な関係の間柄
（４）とりあえず今だけ友達でいようという関係の間柄
（５）親しい仲ではないが、互いに嫌な気はしていない間柄（例えば会って会話するのは楽しいが積極的に連絡を取り合わない間柄）
（６）好意を抱いているのが一方的な間柄
（７）時間の経過とともにいずれかが連絡を取り合うことを辞めたいと思っている間柄
（８）時間の経過とともに双方の仲が悪くなった間柄
（９）最初から仲の悪い間柄
【００３３】
まずは「（１）よく連絡を取り合う親しい間柄」について説明する。このような間柄にあるユーザ同士は縁があるといえるので、友達ユーザとしての関係はＳＮＳ上でも維持されるべきである。このような間柄では互いに個人ページ４の閲覧やメッセージページ６でのやりとりは頻繁に行われる。したがって双方向のやりとりがあり（ステップＳ１）、そのやりとりも設定期間内に行われるので（ステップＳ２）、友達関係は維持される（ステップＳ３）。
【００３４】
次に「（２）たまに連絡を取り合ったり、ほとんど取り合わないが固い絆で結ばれている間柄（例えば地元の幼なじみ）」について説明する。このような間柄にあるユーザ同士も縁があるといえるため、友達ユーザとしての関係はＳＮＳ上でも維持されるべきである。しかしながらこのような間柄ではあまり頻繁に個人ページ４を閲覧したりメッセージのやりとりがないため（ステップＳ１）、設定期間の間に双方向のやりとりがない場合には（ステップＳ４）、友達関係が削除されてしまう（ステップＳ５）。そこで本システム１２には更新操作部２５がアプリケーションサーバ１５に配されている。この更新操作部２５は設定期間内に個人ページ４を自動的に更新するものである。例えばユーザの誕生日や何かの記念日にはその旨を知らせる更新を自動的に行う。あるいは、プロフィール情報（住所や肩書き、趣味など）の変更があった場合やプロフィール画像に変更があったときなどである。このように設定期間内に個人ページ４を自動更新させることで、閲覧意欲あるいはメッセージ送信意欲が喚起され、固い絆で結ばれている間柄なら少なくとも設定期間内には互いの個人ページ４を閲覧したり、あるいはメッセージのやりとりをするはずである。これにより双方向やりとりが（ステップＳ１）設定期間内にされたことになり（ステップＳ２）、その友達関係は維持されることになる（ステップＳ３）。もし、設定期間内に双方向のやりとりがない場合には友達関係がなくなるが、それは本発明が実現しようとする縁による人同士の付き合いを考えれば自然の流れといえるので問題はない。
【００３５】
次に「（３）上司や部下、仕事上の付き合い程度の社交辞令的な関係の間柄」について説明する。このような間柄にあるユーザ同士はその社交辞令的な関係が続いている間は友達関係でもよいが、その関係が終了した場合には縁がなくなったと考えられ、ＳＮＳ上でも関係を終了させてもよいと考えられるべきである。一方のユーザがメッセージを送ったとすると、他方のユーザも社交辞令でメッセージを返すという関係なので、双方向のやりとりはおそらく設定期間内に行われると考えられ、その間の友達関係は維持される。しかし社交辞令的な関係が終了した場合にはやりとりが一方向か、あるいは全くなくなるので（ステップＳ１）、設定期間経過後に（ステップＳ４）友達関係は終了する（ステップＳ５）。これにより縁に基づいた友達関係を実現できる。
【００３６】
次に「（４）とりあえず今だけ友達でいようという関係の間柄」について説明する。このような間柄にあるユーザ同士は時間の経過とともに双方向のやりとりがなくなっていくものであるため、そのときがきたら縁がなくなったと判断し、友達関係は終了すべきである。したがって最初のうちは双方向のやりとり（ステップＳ１）が設定期間以内にされるので（ステップＳ２）、友達関係は維持される（ステップＳ３）。しかしやがて双方向のやりとりがなくなった場合には（ステップＳ１）、設定期間の間にもそのやりとりはなくなるので（ステップＳ４）、友達ユーザからは互いに削除される。これにより縁があるうちは友達関係が維持され、縁がなくなれば友達関係が終了するので縁に基づいた友達関係を実現できる。
【００３７】
次に「（５）親しい仲ではないが、互いに嫌な気はしていない間柄（例えば会って会話するのは楽しいが積極的に連絡を取り合わない間柄）」について説明する。このような間柄にあるユーザ同士はいずれ連絡を取り合わなくなるものであるから、縁があるとは必ずしも言えないと考えられる。このような場合は連絡を取り合わなくなった時点で双方向のやりとりがなくなり（ステップＳ１）、設定期間の間にもそのやりとりはなくなるので（ステップＳ４）、友達ユーザからは互いに削除される。これにより縁があるうちは友達関係が維持され、縁がなくなれば友達関係が終了するので縁に基づいた友達関係を実現できる。
【００３８】
次に「（６）好意を抱いているのが一方的な間柄」について説明する。このような間柄にあるユーザ同士は縁があるとはいえない。好意を抱かれているユーザに取ってみれば友達としての関係を終了させたいはずである。この場合は当然に双方向のやりとりはなく（ステップＳ１）、設定期間の間にもそのやりとりはないので（ステップＳ４）、友達ユーザからは互いに削除される。これにより縁に基づいた友達関係を実現でき、あえて友達削除の操作を行うこともないので友達管理についてのストレスを軽減させることができる。
【００３９】
次に「（７）時間の経過とともにいずれかが連絡を取り合うことを辞めたいと思っている間柄」について説明する。このような間柄にあるユーザ同士は上記（３）や（４）と同様に、やがて双方向のやりとりがなくなる関係といえる。したがって縁に基づいて考えればしかるべき期間が経過したら友達関係は終了するものである。流れとしては上記（３）や（４）と同様に友達関係は終了する。
【００４０】
次に「（８）時間の経過とともに双方の仲が悪くなった間柄」について説明する。この場合は（７）と同様にやがて友達関係は終了する。また、「（９）最初から仲の悪い間柄」の場合は最初から双方向のやりとりが設定期間を経過してもないと考えらえるのでやはり友達関係は終了する。
【００４１】
さらに縁という観点で友達関係を整理させるのであれば、ステップＳ２やステップＳ４で設定期間を確認する際に、例えば双方向のやりとり（閲覧、発言）の回数や頻度、メッセージの文脈や文の長さや所定のキーワードの有無も同時に確認してもよい。これらに応じて設定期間を適宜変更してもよい。このようなパラメータを複数設けることで、さらに精度よく縁になぞらえた友達関係を実現できる。
【００４２】
また、本システム１２では、他のユーザとの出会いも縁により決定される。ＳＮＳ開始時点で電話帳や住所録、あるいはアドレス帳に記録されている他のユーザは自動的に友達ユーザとして登録される。すなわちそのユーザ情報が友達カテゴリ１８に格納される。しかしこの中でも縁がないユーザは上記フローチャートにより次第に友達ユーザから削除されていく。そして新たに友達ユーザとなる場合には自ら検索等により他のユーザを探し出すことはできず、システム１２が判断した他のユーザのみしか友達ユーザになることはない。システム１２が判断すれば自動的に友達ユーザとして追加されていく。全く知らないユーザが友達ユーザとなったとしても、一方が閲覧や発言をしなければ縁がないと判断され、自動的に友達ユーザから削除されていく。これを繰り返すことで、ＳＮＳ上の友達ユーザには本当に縁があるユーザしか残らない。すなわち、本システム１２は「縁」があるユーザとしか友達関係になれず、「縁」がないユーザとは自然と友達関係が終了していくのである。これが通常の他人との関係であり、これが実現できることでいわゆるＳＮＳ疲れや友達の管理に対するストレスをユーザに与えることはなくなる。
【００４３】
なお、システム１２が縁があるとして追加していく友達ユーザとしては、例えばプロフィールの共通点が多いユーザであり、共通点としては住所、年齢、職業、出身地、趣味、生年月日等である。図４に示すように、これらのプロフィール情報はアプリケーションサーバ１５にユーザ情報記憶部２６として配される。そして、これらの情報を基にユーザ同士が縁があると判断するのは同じくアプリケーションサーバ１５に配されたマッチング制御部２７である。すなわち、マッチング制御部２７のみによって選択された他のユーザのみが友達ユーザとして追加されていく。
【００４４】
他方、友達ユーザの個人ページ４の閲覧を喚起させるために上記では更新操作部２５を紹介したが、この更新操作部２５が行う更新の例として買い物割引券などのクーポン（割引若しくは無料チケット）の配信を行ってもよい。ランダムでユーザの個人ページ４にクーポンが配信され、このクーポンを他のユーザに与えることができる仕組みとすれば、ユーザは友達ユーザがクーポンを受け取っていないか個人ページ４を閲覧するはずである。そして所望のクーポンが友達ユーザに配信されていれば、そのクーポンの譲渡についてメッセージを送信し、相手の友達ユーザもこのメッセージに返信するはずである。これにより双方向のやりとりにつながり、縁があるユーザ同士の友達関係が維持されていくことに寄与させることができる。これが例えクーポンが欲しくても、連絡を取りたくない他の友達ユーザであればそのユーザの個人ページ４は閲覧しないはずである。このような仕組みによっても縁による友達関係の整理が可能である。
【００４５】
図６に示すように、メインページ１は友達ユーザのプロフィール画像３のみが配置されるように表示してもよい。このとき、プロフィール画像３はリンクボタンを兼ねていて、この画像３から各友達ユーザのプロフィールページ２９に移動できる（図７参照）。プロフィールページ２９にはその友達ユーザのプロフィール画像３が複数あればそれが全て表示され（図７の例では２つ）、その友達ユーザの出身地や職業などの情報が自己紹介欄２８に表示されている。そしてこのプロフィールページ２９には上述した個人ページへのリンク５及びメッセージページへのリンク７も表示されている。このように個人ページ４の閲覧の手前にその友達ユーザのプロフィールページ２９を設けておくことで、そのユーザがどのような人物であるかを予め確認できる。また、このプロフィールページ２９を閲覧したこともカウントし、友達関係を整理するためのパラメータとして用いてもよい。このとき、メインページ１に表示されるプロフィール画像３の配置を毎回ランダムに配列させれば毎回その友達ユーザを探してまでプロフィールページ２９を参照することになるので、縁の深さを測るパラメータとして好適に利用できる。また、プロフィールページ２９を双方向に閲覧したことで設定期間を長くしたりしてもよい。
【符号の説明】
【００４６】
１：メインページ、２：表示領域、３：プロフィール画像、４：個人ページ、５：個人ページへのリンク、６：メッセージページ、７：メッセージページへのリンク、８：ユーザ名、９：日付欄、１０：近況記載欄、１１：吹き出し、１２：ＳＮＳの友達管理システム、１３：ネットワーク通信網、１４：端末、１５：アプリケーションサーバ、１６：個人ページサーバ、１７：ユーザ情報サーバ、１８：友達カテゴリ、１９：他人カテゴリ、２０：更新管理部、２１：閲覧情報取得部、２２：メッセージ情報取得部、２３：期間管理部、２４：友達管理部、２５：更新操作部、２６：ユーザ情報記憶部、２７：マッチング制御部、２８：自己紹介欄、２９：プロフィールページ
【図１】
2015207136.tif 000003
【図２】
2015207136.tif 000004
【図３】
2015207136.tif 000005
【図４】
2015207136.tif 000006
【図５】
2015207136.tif 000007
【図６】
2015207136.tif 000008
【図７】
2015207136.tif 000009